【手続補正書】
【提出日】平成17年3月11日(2005.3.11)
【手続補正１】
【補正対象書類名】明細書
【補正対象項目名】特許請求の範囲
【補正方法】変更
【補正の内容】
【特許請求の範囲】
【請求項１】
動的入力段バイアスを有する増幅器であって、該増幅器は、
前記増幅器の入力に作動的に結合された入力段と、
前記入力段に作動的に結合された被制御電流源であって、前記被制御電流源によって生成された入力バイアス電流を少なくとも部分的に制御する制御信号に対応している、前記被制御電流源と、
前記増幅器の出力に作動的に結合された出力デバイスとを含み、該出力デバイスは、該出力デバイスに提供される入力信号に応答して、増幅器に負荷が少なくともあるときに出力負荷電流を供給しており、前記増幅器はさらに、
前記被制御電流源と前記出力デバイスとの間のフィードバック構成で作動的に接続された検知回路を含み、該検知回路は、出力デバイスに提供される入力信号の少なくとも一部分を測定しかつそれを示す制御信号を生成しており、
前記入力バイアス電流は、前記出力デバイスに提供される入力信号の関数として動的に制御されることを特徴とする増幅器。
【請求項２】
動的入力段バイアスを有する増幅器において、該増幅器は、
被制御電流源であって、該被制御電流源によって生成される入力バイアス電流を少なくとも部分的に制御する、制御信号に応答する該被制御電流源と、
第一と第二の動的デバイスを含んでいる差動ペアにおいて、各々の動的デバイスが前記増幅器の、各々、第一と第二の入力に作動的に結合されていて、前記動的デバイスがテール・ノードで前記被制御電流源に作動的に結合されている、前記差動ペアからなる入力段と、
前記被制御電流源と前記出力デバイスとの間のフィードバック構成で作動的に接続された検知回路を含み、該検知回路は前記増幅器からの出力負荷電流を測定しかつそれに応答して制御信号を生成しており、
前記入力バイアス電流は前記増幅器の出力負荷電流の関数であることを特徴とする増幅器。
【請求項３】
前記入力負荷が、それに応答して前記入力負荷に流れる電流を制御する第二の制御信号を受信する入力を含んでいて、前記入力負荷に流れる前記電流が前記増幅器の前記出力負荷電流の関数である、請求項２に記載の増幅器。
【請求項４】
前記制御信号が、前記出力負荷電流の少なくとも一部であり、
前記制御信号が、前記被制御電流源によって生成された電流に作動的に加えられる、請求項１に記載の増幅器。
【請求項５】
動的入力段バイアスを有する増幅器において、該増幅器は、
増幅器の入力に作動的に結合された入力段と、
入力段に作動的に結合された被制御電流源とを含み、該被制御電流源は該被制御電流源によって生成される入力バイアス電流を少なくとも部分的に制御しており、そして、前記増幅器は、
前記増幅器の出力と前記被制御電流源との間のフィードバック構成で作動的に接続された検知回路を含み、該検知回路は、該検知回路は前記増幅器からの出力負荷電流を測定しかつそれに応答して制御信号を生成しており、前記増幅器は、
前記増幅器の前記入力段に結合された第一の入力と、第二の制御信号を受信する第二の入力と、前記増幅器の前記出力に結合された出力とを含んでいる第二の段であって、前記第二の段に流れる電流を制御するために前記第二の制御信号に対応している、前記第二の段を更に含み、
前記第二の段に流れる前記電流および入力バイアス電流が、前記増幅器の前記出力負荷電流の関数である、請求項１に記載の増幅器。
【請求項６】
前記被制御電流源がカスコード構成で互いに作動的に結合された第一と第二のトランジスタを含んでいて、前記第一と第二のトランジスタが前記制御入力に結合された共通カスコード・ノードを形成している、請求項１に記載の増幅器。
【請求項７】
未調整の入力と調整された出力とを含むと共に動的入力段バイアスを有するレギュレータ回路であって、該レギュレータ回路は、
第一と第二の入力と出力とを含む誤差増幅器であって、該誤差増幅器の前記第一と第二の入力に作動的に結合された入力段と、前記入力段に作動的に結合された被制御電流源において、前記被制御電流源によって生成された入力バイアス電流を少なくとも部分的に制御する制御信号に対応している前記被制御電流源とを含んでいて、前記誤差増幅器の前記第一の入力に結合された基準電圧と前記レギュレータの前記調整された出力の少なくとも一部を表す測定電圧との間の差に応答して誤差信号を生成する、前記誤差増幅器と、
前記レギュレータの前記未調整の入力に結合された第一の端子と、前記レギュレータの前記調整された出力に結合された第二の端子と、前記誤差増幅器の前記出力に結合された第三の端子とを有するパス・デバイスであって、前記誤差信号を受信し、それに応答して前記パス・デバイスの前記第一と第二の端子間の電圧降下を制御する、前記パス・デバイスと、
前記誤差増幅器の前記被制御電流源と前記レギュレータの前記出力との間でフィードバック構成で作動的に接続された検知回路であって、前記レギュレータ出力負荷電流を測定し、それに応答して前記制御信号を生成する、前記検知回路とを含んでいて、
前記誤差増幅器の前記入力バイアス電流は前記レギュレータの前記出力負荷電流の関数であることを特徴とするレギュレータ回路。
【請求項８】
増幅器の静止電流を減少する方法であって、該方法は、
前記増幅器に関連した出力デバイスに提供される信号を検知するステップを含み、該出力デバイスは、前記増幅器に負荷が少なくともあるときに、該増幅器から、該出力デバイスに提供される入力信号に応答して変化する電流を供給しており、
出力デバイスに提供される信号の少なくとも一部分を示す制御信号を生成するステップと、
前記制御信号に応答して、前記増幅器の入力段に流れる入力バイアス電流を制御するステップとを含み、
前記入力バイアス電流が、前記出力デバイスに提供される入力電流の関数として動的に制御されることを特徴とする方法。
【請求項９】
未調整の入力と調整された出力とを含んでいる集積回路であって、該集積回路は、
第一と第二の入力と出力とを含む誤差増幅器であって、前記誤差増幅器の前記第一と第二の入力に作動的に結合された入力段と、前記入力段に作動的に結合された被制御電流源において、前記被制御電流源によって生成された入力バイアス電流を少なくとも部分的に制御する制御信号に対応している前記被制御電流源とを含んでいて、前記誤差増幅器の前記第一の入力に結合された基準電圧と前記集積回路の前記調整された出力の少なくとも一部を表す測定電圧との間の差に応答して誤差信号を生成する、前記誤差増幅器と、
前記集積回路の前記未調整の入力に結合された第一の端子と、前記集積回路の前記調整された出力に結合された第二の端子と、前記誤差増幅器の前記出力に結合された第三の端子とを有するパス・デバイスにおいて、前記誤差信号を受信し、それに応答して前記パス・デバイスの前記第一と第二の端子間の電圧降下を制御する、前記パス・デバイスと、
前記誤差増幅器の前記被制御電流源と前記集積回路の前記調整された出力との間でフィードバック構成で作動的に接続された検知回路であって、前記集積回路出力負荷電流を測定し、それに応答して前記制御信号を生成する、前記検知回路とを含んでいて、
前記誤差増幅器の前記入力バイアス電流は前記集積回路の前記出力負荷電流の関数であることを特徴とする集積回路。
【請求項１０】
増幅器を含んでいる集積回路であって、該増幅器は、
前記増幅器の入力に作動的に結合された入力段と、
前記入力段に作動的に結合された被制御電流源であって、前記被制御電流源によって生成された入力バイアス電流を少なくとも部分的に制御する制御信号に対応している、前記被制御電流源と、
前記増幅器の出力に作動的に結合した出力デバイスとを含み、該出力デバイスは、前記増幅器に負荷が少なくともあるときに、前記増幅器から、該出力デバイスに提供される入力信号に応答して変化する電流を供給しており、前記増幅器はさらに、
前記被制御電流源と前記出力デバイスとの間のフィードバック構成で作動的に接続された検知回路において、前記出力デバイスに提供される入力信号の少なくとも一部分を測定し、それを示す前記制御信号を生成する、前記検知回路とを含み、
前記入力バイアス電流は、前記出力デバイスに提供される入力信号の関数として動的に制御されることを特徴とする集積回路。